【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
一方向に延在し前記一方向に交差する他方向に並設された多数本の陰極配線と、前記他方向に延在し前記一方向に並設され前記陰極配線と絶縁されて設置された多数本の制御電極とを内面に有する背面基板と、
前記背面基板に対して所定の間隔をもって対向配置されて、表示領域を構成する蛍光体および陽極を内面に有する前面基板を有する表示装置であって、
前記背面基板と前記前面基板の間隔を保持する為の間隔保持部材を前記表示領域内に有し、
前記多数本の陰極配線は、前記一方向に延在する配線部と、当該配線部よりも前記他方向の幅が広い陰極部を有し、
前記陰極部に電子源を有することを特徴とする表示装置。
【請求項２】
前記陰極配線は複数本毎の群に構成され、隣接する群の陰極配線間の間隔が同一群内の陰極配線間の間隔と同一であることを特徴とする請求項１に記載の表示装置。
【請求項３】
前記陰極配線は複数本毎の群に構成され、隣接する群の陰極配線間の間隔が同一群内の陰極配線間の間隔より大であることを特徴とする請求項１に記載の表示装置。
【請求項４】
前記陰極配線の各群の中央から前記他方向の端部側に離れて位置する陰極部は当該陰極部を構成する配線部に関して非対称であることを特徴とする請求項２または３に記載の表示装置。
【請求項５】
前記蛍光体は３色（赤、緑、青）で構成され、前記群の陰極配線は前記３色（赤、緑、青）に対応する３本毎の群に構成されていることを特徴とする請求項２乃至４の何れかに記載の表示装置。
【請求項６】
前記群の中央の陰極配線の陰極部は当該配線部の延在方向に関して対称であり、両側の陰極配線の陰極部は当該配線部の延在方向に関して非対称であることを特徴とする請求項５に記載の表示装置。
【請求項７】
前記群の間に前記制御電極を背面基板と所定の間隙で保持する絶縁層を設けたことを特徴とする請求項２乃至６の何れかに記載の表示装置。
【請求項８】
前記制御電極の前記背面基板側に前記背面基板に当接させて所定の間隙で保持する突出部を有し、前記突出部を前記群の間に位置させたことを特徴とする請求項２乃至６の何れかに記載の表示装置。
【請求項９】
前記間隔保持部材は前記群の間に設置されていることを特徴とする請求項２乃至８の何れかに記載の表示装置。
【請求項１０】
前記間隔保持部材は、前記制御電極の間で前記背面基板に当接していることを特徴とする請求項９に記載の表示装置。
【手続補正２】
【補正対象書類名】明細書
【補正対象項目名】００１０
【補正方法】変更
【補正の内容】
【００１０】
図１６はリボン状の金属薄板を制御電極として用いた電界放出型表示装置の概略構造を説明する模式図であり、（ａ）は展開斜視図、（ｂ）は断面図を示す。なお、図１６では、細かい構成は省略してある。図中、参照符号ＰＮ１は背面パネル、ＰＮ２は前面パネル、ＭＦＬは封止枠を示す。背面パネルＰＮ１を構成する背面基板ＳＵＢ１の内面には多数の陰極配線ＣＬが一方向（ｙ方向）に延在しｙ方向に交差する他方向（ｘ方向）に並設して形成されている。その上にｘ方向に延在しｙ方向に並設された多数の制御電極ＭＲＧが設置されている。一方、前面パネルＰＮ２を構成する前面基板ＳＵＢ２の内面には陽極ＡＰＥと蛍光体ＰＨＳを有し、前面パネルＰＮ２は背面パネルＰＮ１に対して直角方向（ｚ方向）に封止枠ＭＦＬを介して貼り合わされる。
【手続補正３】
【補正対象書類名】明細書
【補正対象項目名】００１４
【補正方法】変更
【補正の内容】
【００１４】
【課題を解決するための手段】
前記目的を達成するために本発明は、陰極配線を配線部（バスライン）と陰極部とに分け、配線部は信号の伝達に必要とされるだけの細いものとし、電子源を形成する陰極部の面積を島状に広く形成した。また、複数の陰極配線を群化（グループ化）し、その各陰極部を制御電極に有する電子通過孔に対応させた位置に形成し、配線部の間の間隙を小さくして、隣接する群の間に比較的大きなスペースを確保した。このスペースを利用して、背面基板への制御電極の設置における裕度を大きくする。
【手続補正４】
【補正対象書類名】明細書
【補正対象項目名】００３０
【補正方法】変更
【補正の内容】
【００３０】
この陰極配線はインジウム・チン・オキサイド（ＩＴＯ）やクロム、銅、アルミニウムなどの金属膜やそれらの合金、若しくはそれらの積層体の成膜、あるいは銀ペースト等の導電性塗料の印刷などで構成される。配線部ＣＬＢと陰極部ＣＬＡは同時に形成するのが好ましいが、配線部の形成と陰極部の形成を別工程とすることも可能である。しかし、本実施例を含む本発明の実施例では同じ工程で同時に形成されるものとして説明する。陰極配線ＣＬの形成時、陰極部ＣＬＡは配線部ＣＬＢよりも幅広に（面積が大きく）形成される。陰極部ＣＬＡの形状は制御電極ＭＲＧの幅方向（ｙ方向）に長辺を有する矩形である。この陰極部ＣＬＡにカーボンナノチューブ等の電子源が形成される。図１に示した実施例は、陰極配線ＣＬの配線部ＣＬＢは当該陰極配線の配列方向（ｘ方向）に等間隔であり、各陰極部ＣＬＡは配線部ＣＬＢの延在方向（ｙ方向）に関して対称とされている。
【手続補正５】
【補正対象書類名】明細書
【補正対象項目名】００３１
【補正方法】変更
【補正の内容】
【００３１】
本実施例のように、陰極配線ＣＬの陰極部ＣＬＡの面積を配線部ＣＬＢより広くしたことにより、電子源の設置に要する面積を大きく確保することが可能となり、電子源を設置する際の当該電子源の形成領域の位置決定、電子源の設置作業が容易になる。その結果、電子源から取り出される電子の量を増大することが可能となり、表示装置として要求される十分な電子を確保することができる。なお
、配線部ＣＬＢは所要の陰極電圧の印加に必要な電気抵抗に問題がない範囲でできるだけ細くする。またこの配線部ＣＬＢは、他の部品との接触を避けるためにも細いことが望ましい。そして、電子源を設置した後に行う制御電極ＭＲＧの組み立て工程での位置合わせも容易になる。
【手続補正６】
【補正対象書類名】明細書
【補正対象項目名】００３２
【補正方法】変更
【補正の内容】
【００３２】
図３は本発明による表示装置の第２実施例を説明する背面パネルに有する陰極配線の要部平面の模式図である。図１および図２と同一の参照符号は同一機能部分に対応する。本実施例の陰極配線ＣＬのそれぞれは第１実施例と同様に陰極部ＣＬＡの面積を配線部ＣＬＢより広くするという点では同じであるが、次の点で異なる。すなわち、本実施例では、陰極配線ＣＬを複数本ごとの群に分けてグルーピング配列（群化またはグループ化とも称する）としている。図３には隣接するグループＧｎとグループＧｎ＋１として示した。ここではカラー１トリオ画素（Ｒ，Ｇ，Ｂ）に対応する３本の陰極配線で１グループを構成している。そして、中央に位置する陰極配線ＣＬの陰極部ＣＬＡは当該配線部ＣＬＢの延在方向（ｙ方向）に関してｘ方向で左右対称に広がり、両側の陰極配線ＣＬの各陰極部ＣＬＡは当該両側各配線部ＣＬＢに対しｘ方向で左右非対称に同面積で互いに離れる方向に広がって形成されている。陰極部ＣＬＡは矩形をなし、表示領域の全域でｘ方向に全て等ピッチで配列される。なお、色度、輝度が弱い色に対応する陰極部の面積を広くしてもよい。
【手続補正７】
【補正対象書類名】明細書
【補正対象項目名】００３３
【補正方法】変更
【補正の内容】
【００３３】
本実施例の構成としたことにより、配線部ＣＬＢが形成される背面基板の基板面の無地領域を広くとることができ、後述する絶縁層や間隔保持手段の設置裕度を大きくすることができる。なお、グルーピングの１グループを構成する陰極配線の数は上記の３本に限るものではない。４本以上の陰極配線を１単位としてグルーピングする場合の陰極部の構成は３本の場合に準じる。すなわち、グループの中央部から外側に向けて、陰極部を配線部に対しｘ方向に左右非対称かつ同面積、あるいは色度、輝度が弱い色に対応する陰極部の面積を広くして配列する。
【手続補正８】
【補正対象書類名】明細書
【補正対象項目名】００３４
【補正方法】変更
【補正の内容】
【００３４】
図４は本発明による表示装置の第３実施例を説明する背面パネルに有する陰極配線の要部平面の模式図である。図１〜図３と同一参照符号は同一機能部分に対応する。本実施例は、図３で説明した第２実施例と同様に３本の陰極配線で１グループを形成したグルーピング配列としたものである。図４には隣接するグループＧｎとグループＧｎ＋１として示した。図示したように、グループ内の左右に位置する陰極配線ＣＬの陰極部ＣＬＡの形状が、中央に位置する陰極配線ＣＬの陰極部ＣＬＡとは異なる形状としたものである。すなわち、左右に位置する陰極配線ＣＬの陰極部ＣＬＡのｘ方向の辺が、ｙ方向に傾斜するようにカットした形状に形成した。３本の陰極配線の陰極部ＣＬＡの面積は同一として示したが、色度、輝度の弱い色に対応する陰極部の面積を大きくするようにしてもよい。
【手続補正９】
【補正対象書類名】明細書
【補正対象項目名】００３５
【補正方法】変更
【補正の内容】
【００３５】
本実施例により、配線部ＣＬＢが形成される背面基板の基板面の無地領域をさらに広くとることができ、後述する絶縁層や間隔保持手段の設置裕度をより大きくすることができる。なお、第２実施例と同様にグルーピングの１グループを構成する陰極配線の数は上記の３本に限るものではない。４本以上の陰極配線を１単位としてグルーピングする場合の陰極部の構成は３本の場合に準じる。すなわち、グループの中央部から外側に向けて、陰極部を配線部に対しｘ方向に左右非対称かつ同面積、あるいは色度、輝度が弱い色に対応する陰極部の面積を広くして配列する。
【手続補正１０】
【補正対象書類名】明細書
【補正対象項目名】００３６
【補正方法】変更
【補正の内容】
【００３６】
図５は本発明による表示装置の第４実施例を説明する背面パネルと前面パネルの組み合わせの要部模式図であり、（ａ）は平面図、（ｂ）は（ａ）のＡ−Ａ’線に沿った断面図を示す。図中の参照符号ＳＵＢ１は背面基板、ＩＮＳは絶縁層、ＭＲＧは制御電極、ＥＰＨは電子通過孔、ＰＮ１は背面パネル、前記実施例の図面における参照符号と同一符号は同一機能部分を示す。本実施例は図４で説明した陰極配線を形成した背面基板ＳＵＢ１に絶縁層ＩＮＳを介して制御電極ＭＲＧを設置したものである。
【手続補正１１】
【補正対象書類名】明細書
【補正対象項目名】００４３
【補正方法】変更
【補正の内容】
【００４３】
図８は本発明による表示装置の第７実施例を説明する背面パネルと前面パネルの組み合わせの要部平面の模式図である。本実施例は図７の実施例で説明した突出部ＢＲＧを隣り合う制御電極ＭＲＧで同じ位置に設けたものである。すなわち、同一の制御電極ＭＲＧ内では、図のｙ方向に突出部ＢＲＧが存在する場合はそのｙ方向と逆方向には突出部ＢＲＧを設けずに凹みＡＬＣを形成し、この突出部ＢＲＧと凹みＡＬＣを互いに千鳥状に配置した。本実施例によれば、第６実施例の効果に加えて、さらに突出部ＢＲＧの設置スペースの裕度を増加させることができる。
【手続補正１２】
【補正対象書類名】明細書
【補正対象項目名】００４７
【補正方法】変更
【補正の内容】
【００４７】
本実施例により、陰極配線の複数毎を１群としてグルーピングすることで、各グループの間のスペースが広く確保され、制御電極ＭＲＧを背面基板ＳＵＢ１に有する陰極配線ＣＬに対して所定の間隙で設置する裕度が向上する。また、間隔保持部材ＳＰＣの設置裕度が向上し、前面基板ＳＵＢ２を背面基板ＳＵＢ１に対して所定の間隔を保持して容易に組み立てることができる。
【手続補正１３】
【補正対象書類名】明細書
【補正対象項目名】００４８
【補正方法】変更
【補正の内容】
【００４８】
図１０は本発明による表示装置の前面パネルを除去して封止枠と共に示す背面パネルの平面図である。背面パネルＰＮ１を構成する背面基板ＳＵＢ１はガラスあるいはアルミナ等を好適とする絶縁材料で構成され、その内面に前記したカーボンナノチューブ等の電子源をもつ陰極配線ＣＬと制御電極ＭＲＧを有する。陰極配線ＣＬは背面基板ＳＵＢ１上のｙ方向に延在し、このｙ方向に交差するｘ方向に多数本並設される。陰極配線ＣＬは銀などを含む導電ペーストの印刷等でパターニングされ、その端部から陰極配線引出端子ＣＬ−Ｔが封止枠ＭＦＬの外側に引き出されている。なお、図１０では陰極配線引出端子ＣＬ−Ｔを背面基板ＳＵＢ１の一辺にのみ引き出しているが、対向する両辺に引き出してもよい。
【手続補正１４】
【補正対象書類名】明細書
【補正対象項目名】００５３
【補正方法】変更
【補正の内容】
【００５３】
図１２は本発明の表示装置における間隔保持部材の設置状態の一例を模式的に説明する展開斜視図である。背面パネルＰＮ１や前面パネルＰＮ２の構成は図示を省略してある。この例では、間隔保持部材ＳＰＣをｙ方向、例えば図９で説明した陰極配線ＣＬの延在方向に延在させ、ｘ方向に並設している。この間隔保持部材ＳＰＣは、例えば図９における制御電極ＭＲＧに形成した突出部ＢＲＧの上に多数の制御電極ＭＲＧを横断させて載置する。また、この間隔保持部材ＳＰＣは図９の陰極配線のグループ毎に設置するものに限るものではなく、複数のグループ毎に設置してもよい。また、この間隔保持部材ＳＰＣは図９等に示した制御電極ＭＲＧの隣接スペースで多数の陰極配線ＣＬを横断するように設置してもよい。この場合も、複数の制御電極ＭＲＧ毎に設置することができる。
【手続補正１５】
【補正対象書類名】明細書
【補正対象項目名】００５７
【補正方法】変更
【補正の内容】
【００５７】
図１４は本発明による表示装置の背面パネルに対する前面パネルの蛍光体配置例の模式図である。表示領域ＡＲはｘ方向に長辺をもつ矩形であり、カラー表示のための各蛍光体Ｒ，Ｇ，Ｂはｘ方向に配列されている。ｘ方向は制御電極の延在方向、ｙ方向は陰極配線の延在方向、ｚ方向は前面基板側を示す。図中、参照符号ＥＸＣは排気管の位置を示す。